(57)【要約】  本発明による化粧品二液容器は、第一、第二内容物が互いに分離された状態で維持されて、使用時に第二内容物が使用者の操作を介して容器ボディー（１０）の内部に吐出されて混合されるため、使用者が使用する直前まで外部環境に敏感な第二内容物が外部環境に露出されることを防止する効果がある。
2016527948.tif 000002
【特許請求の範囲】
【請求項１】
内部に第一内容物（１１）が保存された容器ボディー（１０）と；
前記容器ボディー（１０）に結合され、外部と遮蔽されるように第二内容物（２１）が保存される保存空間（２６ａ）が形成され、使用者の操作によってピストン（２６）が前記保存空間（２６ａ）の第二内容物（２１）を加圧して前記容器ボディー（１０）の内部に吐出させ、吐出された前記第二内容物（２１）と前記第一内容物（１１）が前記容器ボディー（１０）の内部で混ざるように構成されたピペット組立体（２０）とを含む
化粧品二液容器。
【請求項２】
前記ピペット組立体（２０）は、
前記保存空間（２６ａ）と連通され、前記容器ボディー（１０）の内部に挿入されるように配置されたピペット（２４）を含み、
前記容器ボディー（１０）の内部に位置されたピペット（２４）の端側には前記キャップ（３０）が結合された
請求項１に記載の化粧品二液容器。
【請求項３】
前記ピペット組立体（２０）が前記容器ボディー（１０）と分離される過程で前記キャップ（３０）とピペット（２４）が分離されるように配置された
請求項２に記載の化粧品二液容器。
【請求項４】
前記容器ボディー（１０）の内部には、前記キャップ（３０）と相互引っ掛けを発生させるボディー引っ掛け部（１５）が形成された
請求項２に記載の化粧品二液容器。
【請求項５】
前記ピペット組立体（２０）は、
前記第二内容物（２１）が保存されるピペットボディー（２２）と；
前記ピペットボディー（２２）に結合されて前記容器ボディー（１０）の内部に挿入され、前記第二内容物（２１）を前記容器ボディー（１０）の内部に案内するピペット（２４）と；
前記ピペットボディー（２２）に結合されて前記第二内容物（２１）を加圧するピストン（２６）と；
前記ピストン（２６）に結合されて前記ピペット（２４）側に陰圧または陽圧の圧力を提供する圧力提供部材（２８）とを含む
請求項１に記載の化粧品二液容器。
【請求項６】
前記容器ボディー（１０）及びピペット組立体（２０）は、互いにネジ結合されるようにボディーネジ山（１３）及びピペットネジ山（２３）が各々形成された
請求項１に記載の化粧品二液容器。
【請求項７】
前記ピペット組立体（２０）は、前記ピストン（２６）が下側に直線移動されて、前記第二内容物（２１）を加圧するように構成された
請求項１乃至請求項６のいずれか一つに記載の化粧品二液容器。
【請求項８】
前記ピペット組立体（２０）は、前記ピストン（２６）が回転されて、下側に移動され、前記第二内容物（２１）を加圧するように構成された
請求項１乃至請求項６のいずれか一つに記載の化粧品二液容器。
【請求項９】
前記容器ボディーは、
前記第一内容物が保存され、上側及び下側が開口されて形成され、前記ピペット組立体と組立てられる容器ハウジングと；
前記容器ハウジングに組立てられ、前記ピペットが挿入され、前記ピペットの分離時、前記キャップが分離されるようにボディー引っ掛け部が形成されたストリッパーと；
前記ストリッパーが内側に収容され、前記容器ハウジングと結合されて前記容器ハウジングの下側を密閉させる容器ベースとを含む
請求項２に記載の化粧品二液容器。
【請求項１０】
前記ピペット組立体は、
前記第二内容物が保存され、前記容器ボディーとネジ結合されるピペットボディーと；
前記ピペットボディーに結合されて前記容器ボディーの内部に挿入され、前記第二内容物を前記容器ボディーの内部に案内するピペットと；
前記ピペットボディーに結合されて前記第二内容物を前記ピペット側に加圧するピストンと；を含む
請求項２に記載の化粧品二液容器。
【請求項１１】
前記ピペットボディーは、
前記容器ボディーとネジ結合されるピペットインナーキャップと；
前記ピペットインナーキャップを貫通して設置され、前記ピペットと結合されて、内部に前記第二内容物が保存されるピペットハウジングと；
前記ピペットインナーキャップ及びピペットハウジングをくるんで固定させるピペットアウターキャップと；を含む
請求項１０に記載の化粧品二液容器。
【請求項１２】
前記ピストンは、
前記ピペットハウジングを密閉させるように結合されるピストン部材と；
前記ピストン部材と結合されるピストンホルダーと；
前記ピストンホルダーに結合されて前記ピペット側に陽圧または陰圧を提供する圧力提供部材と；
前記圧力提供部材と連通され、前記ピストンホルダー及びピストン部材を貫通して前記ピペット側に圧力を伝達する圧力提供流路とを含む
請求項１０に記載の化粧品二液容器。
【請求項１３】
内部に第一内容物が保存された容器ボディーと；
前記容器ボディーに結合され、外部と遮蔽されるように第二内容物が保存される保存空間が形成され、使用者の操作によってピストンが前記保存空間の第二内容物を加圧して前記容器ボディーの内部に吐出させ、吐出された前記第二内容物と前記第一内容物が前記容器ボディーの内部で混ざるように構成されたピペット組立体を含み、
前記ピペット組立体は、
前記第二内容物が保存され、前記容器ボディーとネジ結合されるピペットボディーと；前記ピペットボディーに結合されて前記容器ボディーの内部に挿入され、前記第二内容物を前記容器ボディーの内部に案内するピペットと；前記ピペットボディーに結合されて前記第二内容物を前記ピペット側に加圧するピストンと；前記ピペット端側に結合され、前記第二内容物が前記容器ボディーの内側に流動されることを遮断させるキャップと；を含み、
前記容器ボディーは、
前記第一内容物が保存され、上側及び下側が開口されて形成され、前記ピペット組立体と組立てられる容器ハウジングと；前記容器ハウジングに組立てられて、前記ピペットが挿入され、前記ピペットの分離時、前記キャップが分離されるようにボディー引っ掛け部が形成されたストリッパーと；前記ストリッパーが内側に収容され、前記容器ハウジングと結合されて前記容器ハウジングの下側を密閉させる容器ベースと；を含む
化粧品二液容器。
【発明の詳細な説明】
【技術分野】
【０００１】
本発明は、化粧品二液容器に関する。より詳しくは、使用前には相違する成分が分離して配置され、開封する時に相違する成分が混合できるように構成された化粧品二液容器に関する。
【背景技術】
【０００２】
通常の化粧品の場合、色々な有効成分を予め混ぜた原料を容器に収容させ、これを必要な分のみを吐出させて使用している。
【０００３】
ここで機能性化粧品の場合、しわの緩和、美白などの機能に優れたビタミン類や天然抽出物などの機能性原料を使用する場合が多く、このような原料等は、その性質上、非常に不安定であるため、ベース原料と予め混ぜておくと、不安定な状態で酸敗、変質されやすい短所があった。
【０００４】
特に、機能性化粧品の場合、その使用期間が一般化粧品に比べて非常に短く、ビタミン類や天然抽出物の原料を使用する場合が多いが、このような天然抽出物の原料の場合、空気と接触されたり、または、紫外線に露出されたりする場合、酸敗や変質が発生し、使用期間がさらに短くなる問題があった。
【先行技術文献】
【特許文献】
【０００５】
【特許文献１】大韓民国実用新案登録第２０−０３４８００４号公報
【発明の概要】
【発明が解決しようとする課題】
【０００６】
本発明は、使用前には相違する成分が分離されて配置され、開封時に相違する成分が混合できるように構成された化粧品二液容器を提供することを目的とする。
【課題を解決するための手段】
【０００７】
本発明の一側面は、内部に第一内容物（１１）が保存された容器ボディー（１０）と；前記容器ボディー（１０）に結合され、外部と遮蔽されるように第二内容物（２１）が保存される保存空間（２６ａ）が形成され、使用の操作によってピストン（２６）が前記保存空間（２６ａ）の第二内容物（２１）を加圧して前記容器ボディー（１０）の内部に吐出させて、吐出された前記第二内容物（２１）と前記第一内容物（１１）が前記容器ボディー（１０）の内部で混ざるように構成されたピペット組立体（２０）とを含む化粧品二液容器を提供する。
【０００８】
前記ピペット組立体（２０）は、前記保存空間（２６ａ）と連通されて、前記容器ボディー（１０）の内部に挿入されるように配置されたピペット（２４）を含み、前記容器ボディー（１０）の内部に位置されたピペット（２４）の端側には前記キャップ（３０）が結合することができる。
【０００９】
前記ピペット組立体（２０）が前記容器ボディー（１０）と分離される過程で前記キャップ（３０）とピペット（２４）とが分離できるように配置できる。
【００１０】
前記容器ボディー（１０）の内部には前記キャップ（３０）と相互引っ掛けを発生させるボディー引っ掛け部（１５）が形成することができる。
【００１１】
前記ピペット組立体（２０）は、前記第二内容物（２１）が保存されるピペットボディー（２２）と；前記ピペットボディー（２２）に結合されて前記容器ボディー（１０）の内部に挿入され、前記第二内容物（２１）を前記容器ボディー（１０）の内部に案内するピペット（２４）と；前記ピペットボディー（２２）に結合されて前記第二内容物（２１）を加圧するピストン（２６）と；前記ピストン（２６）に結合されて前記ピペット（２４）側に陰圧または陽圧の圧力を提供する圧力提供部材（２８）とを含むことができる。
【００１２】
前記容器ボディー（１０）及びピペット組立体（２０）は、互いにネジ結合されるようにボディーネジ山（１３）及びピペットネジ山（２３）が各々形成されることができる。
【００１３】
前記ピペット組立体（２０）は、前記ピストン（２６）が下側に直線移動されて、前記第二内容物（２１）を加圧するように構成されることができる。
【００１４】
前記ピペット組立体（２０）は、前記ピストン（２６）が回転され、下側に移動されて、前記第二内容物（２１）を加圧するように構成されることができる。
【００１５】
前記容器ボディーは、前記第一内容物が保存されて、上側及び下側が開口され形成されて、前記ピペット組立体と組立てられる容器ハウジングと；前記容器ハウジングに組立てられて、前記ピペットが挿入され、前記ピペットの分離時、前記キャップが分離されるようにボディー引っ掛け部が形成されたストリッパーと；前記ストリッパーが内側に収容され、前記容器ハウジングと結合されて前記容器ハウジングの下側を密閉させる容器ベースとを含むことができる。
【００１６】
前記ピペット組立体は、前記第二内容物が保存されて、前記容器ボディーとネジ結合されるピペットボディーと；前記ピペットボディーに結合され、前記容器ボディーの内部に挿入されて、前記第二内容物を前記容器ボディーの内部に案内するピペットと；前記ピペットボディーに結合されて前記第二内容物を前記ピペット側に加圧するピストンと；を含むことができる。
【００１７】
前記ピペットボディーは、前記容器ボディーとネジ結合されるピペットインナーキャップと；前記ピペットインナーキャップを貫通して設置され、前記ピペットと結合され、内部に前記第二内容物が保存されるピペットハウジングと；前記ピペットインナーキャップ及びピペットハウジングをくるんで固定させるピペットアウターキャップと；を含むことができる。
【００１８】
前記ピストンは、前記ピペットハウジングを密閉させるように結合されるピストン部材と；前記ピストン部材と結合されるピストンホルダーと；前記ピストンホルダーに結合されて前記ピペット側に陽圧または陰圧を提供する圧力提供部材と；前記圧力提供部材と連通され、前記ピストンホルダー及びピストン部材を貫通して前記ピペット側に圧力を伝達する圧力提供流路とを含むことができる。
【００１９】
本発明の他側面は、内部に第一内容物が保存された容器ボディーと；前記容器ボディーに結合され、外部と遮蔽されるように第二内容物が保存される保存空間が形成され、使用者の操作によってピストンが前記保存空間の第二内容物を加圧して前記容器ボディーの内部に吐出させて、吐出された前記第二内容物と前記第一内容物とが前記容器ボディーの内部で混ざるように構成されたピペット組立体とを含み、前記ピペット組立体は、前記第二内容物が保存されて、前記容器ボディーとネジ結合されるピペットボディーと；前記ピペットボディーに結合されて前記容器ボディーの内部に挿入され、前記第二内容物を前記容器ボディーの内部に案内するピペットと;前記ピペットボディーに結合されて前記第二内容物を前記ピペット側に加圧するピストンと；前記ピペットの端側に結合され、前記第二内容物が前記容器ボディーの内側に流動されることを遮断させるキャップと；を含み、前記容器ボディーは、前記第一内容物が保存されて、上側及び下側が開口され形成され、前記ピペット組立体と組立てられる容器ハウジングと；前記容器ハウジングに組立てられて、前記ピペットが挿入されて、前記ピペットの分離時、前記キャップが分離されるようにボディー引っ掛け部が形成されたストリッパーと；前記ストリッパーが内側に収容され、前記容器ハウジングと結合されて前記容器ハウジングの下側を密閉させる容器ベースと；を含む化粧品二液容器を提供する。
【発明の効果】
【００２０】
本発明による化粧品二液容器は第一、第二内容物が互いに分離された状態で維持され、使用時に第二内容物が使用者の操作を介して容器ボディー（１０）の内部に吐出されて混合されるため、使用者が使用する直前まで外部環境に敏感な第二内容物が外部環境に露出されることを防止する効果がある。
【００２１】
また、本発明による化粧品二液容器は、使用者が使用する前まで外部環境によって変質や酸敗が発生されやすい第二内容物が遮蔽されてピペット組立体（２０）の内部に保管されるため、使用者に最大限の使用期間を提供する効果がある。
【００２２】
また、本発明による化粧品二液容器は、ピペット組立体（２０）が容器ボディー（１０）と分離される時、容器ボディー（１０）の内部でキャップ（３０）が分離されて、分離されたキャップが容器ボディー（１０）の内部に保管されるため、使用者がピペット（２４）でキャップ（３０）を分離させるためにキャップ（３０）を触る動作が求められなく、これを介してピペット（２４）が汚染されることを防止する効果がある。
【図面の簡単な説明】
【００２３】
【図１】本発明の一実施例による化粧品二液容器の斜視図である。
【図２】図１の正面図である。
【図３】図１の平面図である。
【図４】図１の底面図である。
【図５】図２のＡ−Ａに沿って切断された断面図である。
【図６】図２のＢが図示された拡大図である。
【図７】図１の作動状態が図示された斜視図である。
【図８】図７の正面図である。
【図９】図８のＣ−Ｃに沿って切断された断面図である。
【図１０】図５の作動過程が図示された例示図である。
【図１１】本発明の二実施例による化粧品二液容器の斜視図である。
【図１２】図１１の作動例示図である。
【図１３】図１１の分解斜視図である。
【図１４】図１１の正断面図である。
【図１５】図１２の正断面図である。
【発明を実施するための形態】
【００２４】
以下、添付の図面を参照して本発明について具体的にみてみることにする。
但し、本発明を説明するにつき、関連の公知機能または構成についての具体的説明が本発明の要旨を不要にくもらすと判断される場合には、その詳細な説明を省略する。用語が同一であっても、表示する部分が相違すると、図面符号が一致しないことを予め述べておく。
【００２５】
そして、後述する用語等は、本発明での機能を考えて設定された用語であって、これは、実験者及び測定者のような使用者の意図または慣例によって異なることがあるため、その定義は、本明細書全般に渡る内容に基づいて下されるべきであろう。
【００２６】
本明細書で第一、第二などの用語は、色々な構成要素を説明する時に使用できるが、前記構成要素等は、前記用語等によって限定されてはいけない。前記用語等は、一つの構成要素を他の構成要素から区別する目的のみで使用される。例えば、本発明の権利範囲をはずれることなく第一構成要素は第二構成要素と命名されることができ、類似に第二構成要素も第一構成要素と命名されることができる。「及び／または」という用語は、複数の関連の記載の項目等の組合せまたは複数の関連の記載の項目等の内のいずれかの項目を含む。
【００２７】
本明細書で使用した用語は、特定の実施例を説明するために使用されたものであり、本発明を限定しようとする意図ではない。単数の表現は、文脈上明白に異なるものを意味しないかぎり、複数の表現を含む。
【００２８】
異なって定義されない限り、技術的か科学的な用語を含めてここで使用される全ての用語等は、本発明の属する技術分野で通常の知識を有する者によって一般的に理解されるのと同一の意味を有している。一般的に使用される辞典に定義されているのと同じ用語等は、関連技術の文脈上有する意味と一致する意味を有すると解釈されるべきであり、本出願で明白に定義しないかぎり、理想的か過度に形式的な意味で解釈されない。
【００２９】
また、ある部分がある構成要素を「含む」とする時、これは、特別に反対される記載がない限り、他の構成要素を除くものではなく、他の構成要素をさらに含むことができることを意味する。
【００３０】
図１は、本発明の一実施例による化粧品二液容器の斜視図であり、図２は、図１の正面図であり、図３は、図１の平面図であり、図４は、図１の底面図であり、図５は、図２のＡ−Ａに沿って切断された断面図であり、図６は、図２のＢが図示された拡大図であり、図７は、図１の作動状態が図示された斜視図であり、図８は、図７の正面図であり、図９は、図８のＣ−Ｃに沿って切断された断面図であり、図１０は、図５の作動過程が図示された例示図である。
【００３１】
図示されたように、本実施例による化粧品二液容器は、使用前に少なくとも二種類の内容物が隔離されていて、開封時に相違する内容物が混合されるように構成される。
【００３２】
そのために前記化粧品二液容器は、第一内容物（１１）が保存される容器ボディー（１０）と、前記容器ボディー（１０）に結合され、第二内容物（２１）が保存されるピペット組立体（２０）とを含めて構成される。
【００３３】
前記容器ボディー（１０）は、上側に開口部が形成され、上側の外周面にボディーネジ山（１３）が形成される。
【００３４】
そして、前記容器ボディー（１０）の内部には、後述するキャップ（３０）が挿入されるキャップ溝（１４）と、前記キャップ（３０）がはめられて引っ掛け固定されるボディー引っ掛け部（１５）が形成される。
【００３５】
前記ピペット組立体（２０）は、前記第二内容物（２１）が保存されるピペットボディー（２２）と、前記ピペットボディー（２２）の内周面に形成されたピペットネジ山（２３）と、前記ピペットボディー（２２）に結合されて前記容器ボディー（１０）の内部に挿入され、前記第二内容物（２１）を前記容器ボディー（１０）の内部に案内するピペット（２４）と、前記ピペットボディー（２２）に結合されて前記第二内容物（２１）を加圧するピストン（２６）と、前記ピストン（２６）に結合されて前記ピペット（２４）側に陰圧または陽圧の圧力を提供する圧力提供部材（２８）とを含む。
【００３６】
前記ピペットボディー（２２）は、前記ピペットネジ山（２３）が形成されたインナーボディー（２２ａ）と、前記インナーボディー（２２ａ）の外側に配置されるアウターボディー（２２ｂ）とで構成され、本実施例と違って、前記インナーボディー（２２ａ）及びアウターボディー（２２ｂ）が一体に形成されることができる。
【００３７】
特に、前記インナーボディー（２２ａ）の内側には、前記第二内容物（２１）が保存される保存空間が形成される。
【００３８】
そして、前記ピペットボディー（２２）は、前記保存空間（２６ａ）に紫外線のような光が透過されないように不透明な材質や光を反射できる材質で形成されることが好ましく、これを介して前記保存空間（２６ａ）に入れられた第二内容物（２１）の酸敗のような変質を防止する。
【００３９】
前記ピペット（２４）は、管状で形成され、上側端が前記インナーボディー（２２ａ）の保存空間（２１ａ）と連通されるように連結され、下側端が前記容器ボディー（１０）の内部に配置される。本実施例で前記ピペット（２４）の下側端は前記キャップ溝（１４）に挿入されるように位置される。
【００４０】
前記ピストン（２６）は、前記ピペットボディー（２２）に結合された状態で前記保存空間（２１ａ）側に相対移動され、この過程で前記保存空間（２１ａ）の第二内容物（２１）を前記ピペット（２４）側に加圧して吐出させる。
【００４１】
ここで、前記ピストン（２６）には前記圧力提供部材（２８）と連通される圧力提供流路（２７）が形成され、前記圧力提供部材（２８）の圧力変化を前記ピペット（２４）側に伝達することができる。
【００４２】
前記圧力提供部材（２８）は、本実施例において、弾性を有するゴム材質で形成され、使用者の操作を通して前記ピペット（２４）に陰圧または陽圧を提供することができる。
【００４３】
そして、本実施例で前記ピストン（２６）は、使用者の操作力によって前記インナーボディー（２２ａ）に沿って相対移動されて、前記第二内容物（２１）を前記ピペット（２４）側に吐出させるように構成されたが、本実施例と違って、前記ピストン（２６）が前記ピペットボディー（２２）に対して相対回転されて前記第二内容物（２１）を前記ピペット（２４）側に吐出させるように構成しても差し支えない。
【００４４】
即ち、前記インナーボディー（２２ａ）の内側面に沿ってネジ山を形成して、前記ピストン（２６）が前記ネジ山に沿って回転されるように構成した後、前記ピストン（２６）の回転数によって前記ピペット（２４）に第二内容物（２１）が吐出されるように構成することができる。
【００４５】
また、前記インナーボディー（２２ａ）の内側面に沿って所定間隔に段差を形成し、前記ピストン（２６）が前記段差に引っかかるように構成することによって、使用者が前記第二内容物（２１）を分割して吐出させることができるように構成しても差し支えない。
【００４６】
一方、前記キャップ（３０）は、前記ピペット（２４）の下端に結合されて前記第二内容物（２１）が前記容器ボディー（１０）の内部に流入されることを遮断させる。
【００４７】
ここで前記キャップ（３０）は、ピペット（２４）に結合された状態で前記キャップ溝（１４）に挿入され、前記ピペット組立体（２０）が前記容器ボディー（１０）と分離される過程で前記キャップ（３０）及びピペット（２４）が分離される。
【００４８】
以下、本発明の一実施例による化粧品二液容器の作動過程を、図面を参照してより詳しく説明する。
【００４９】
まず、前記ピペット組立体（２０）の保存空間（２６ａ）には、第二内容物（２１）が保存された状態であって、前記第二内容物（２１）が漏出されることを防止するためにピペット（２４）の下側端にキャップ（３０）が結合される。
【００５０】
前記ピペット組立体（２０）にキャップ（３０）が結合された状態で前記ピペット（２４）が容器ボディー（１０）の内部に挿入され、前記ピペット組立体（２０）及び容器ボディー（１０）がネジ結合されて組立てられる。
【００５１】
この過程で前記キャップ（３０）は、前記キャップ溝（１４）の内部に挿入されて、より詳しくは前記ボディー引っ掛け部（１５）を通過して前記ボディー引っ掛け部（１５）の下側に配置される。
【００５２】
以後、使用者が前記ピペット組立体（２０）を回転させて前記容器ボディー（１０）から分離すると、前記ピペット組立体（２０）の上側に移動されて前記キャップ（３０）とボディー引っ掛け部（１５）が相互引っ掛けを発生させて、この過程で前記キャップ（３０）は、前記ピペット組立体（２０）と分離される。
【００５３】
それで分離されたキャップ（３０）は、前記ボディー引っ掛け部（１５）に残されて、ピペット（２４）の下側が開放される。
【００５４】
以後、使用者は、ピペットボディー（２２）の上側に露出されたピストン（２６）を押し、保存空間（２６ａ）に移動させ、前記ピストン（２６）の移動によって保存空間（２６ａ）に保存された第二内容物（２１）が容器ボディー（１０）の内部に吐出される。
【００５５】
ここで、吐出された前記第二内容物（２１）は、前記容器ボディー（１０）の内部の下側に吐出された後、第一内容物（１１）と混合され、第一、第二内容物（１１）（２１）の性質によって化学反応を起こすように構成することもできる。
【００５６】
前記第一、第二内容物（１１）（２１）が混ざった後、使用者は、前記圧力提供部材（２８）を操作して混合された内容物を前記ピペット（２４）の内部に吸入した後、前記容器ボディー（１０）の外部に取り出して、ピペット（２４）に吸入された内容物を思う量だけ吐出させて使用することができる。
【００５７】
そして、前記ピペット組立体（２０）の使用後、前記ピペット組立体（２０）を容器ボディー（１０）にネジ結合させると前記ピペット（２４）の下側端がキャップ溝（１４）に挿入されるが、前記キャップ（３０）とは分離された状態を維持する。
【００５８】
一方、本実施例では、前記容器ボディー（１０）及びピペット組立体（２０）がネジ結合を通して組立てられるように構成されたが、本実施例と違って、上下移動を介してワンタッチではめ結合または引っ掛け結合されるように構成しても差し支えなく、前記容器ボディー（１０）及びピペット組立体（２０）の結合方式は、当業者によって色々な形で具現できる。
【００５９】
図１１は、本発明の二実施例による化粧品二液容器の斜視図であり、図１２は、図１１の作動例示図であり、図１３は、図１１の分解斜視図であり、図１４は、図１１の正断面図であり、図１５は、図１２の正断面図である。
【００６０】
本実施例による化粧品二液容器は、一実施例と同じ原理で作動されるが、一実施例と異なる構成部品を有する。
【００６１】
前記化粧品二液容器は、第一内容物が保存される容器ボディー（１１０）と、前記容器ボディー（１１０）に結合され、第二内容物（２１）が保存されるピペット組立体（１２０）とを含めて構成される。
【００６２】
前記容器ボディー（１１０）は、第一内容物が保存されて、上側及び下側が開口されて形成され、前記ピペット組立体（１２０）と組立てられるようにボディーネジ山（１３）が形成された容器ハウジング（１１２）と、前記容器ハウジング（１１２）の下側に組立てられて、前記ピペット（１２４）が挿入され、前記ピペット（１２４）の分離時、前記キャップ（３０）が分離されるようにボディー引っ掛け部（１５）が形成されたストリッパー（１１４）と、前記ストリッパー（１１４）の下側に密着される容器パッキン（１１６）と、前記ストリッパー（１１４）が内側に収容され、前記容器ハウジング（１１２）の下側に結合されて前記容器ハウジング（１１２）の下側を密閉させる容器ベース（１１８）とを含む。
【００６３】
前記容器ハウジング（１１２）の内側に前記ストリッパー（１１４）が挿入されて組立てられて、前記ピペット組立体（１２０）が分離される時、前記キャップ（３０）が前記ストリッパー（１１４）と相互引っ掛けを形成させ、分離されたキャップ（３０）は、前記ストリッパー（１１４）に残留される。
【００６４】
前記ピペット組立体（１２０）は、前記第二内容物が保存されて、前記容器ボディー（１１０）とネジ結合されるピペットボディー（１３０）と、前記ピペットボディー（１３０）に結合されて前記容器ボディー（１１０）の内部に挿入されて、前記第二内容物を前記容器ボディー（１１０）の内部に案内するピペット（１２４）と、前記ピペットボディー（１３０）に結合されて前記第二内容物を前記ピペット（１２４）側に加圧するピストン（１４０）とを含む。
【００６５】
前記ピペットボディー（１３０）は、内周面にネジ山が形成され、前記容器ボディー（１１０）とネジ結合されるピペットインナーキャップ（１３２）と、前記ピペットインナーキャップ（１３２）を貫通して設置され、前記ピペット（１２４）と結合されて、内部に前記第二内容物が保存されるピペットハウジング（１３４）と、前記ピペットインナーキャップ（１３２）及びピペットハウジング（１３４）をくるんで固定させるピペットアウターキャップ（１３６）とを含む。
【００６６】
前記ピペットハウジング（１３４）及びピペットアウターキャップ（１３６）は、前記ピストン（１４０）が挿入されるように上側が開口されて形成される。
【００６７】
前記ピストン（１４０）は、前記ピペットハウジング（１３４）を密閉させるように結合されるピストン部材（１４２）と、前記ピストン部材（１４２）と結合されるピストンホルダー（１４４）と、前記ピストンホルダー（１４４）に結合されて前記ピペット（１２４）側に陽圧または陰圧を提供する圧力提供部材（１４８）と、前記ピストンホルダー（１４４）及び圧力提供部材（１４８）の外側をくるむように結合されたピストンカバー（１４６）と、前記圧力提供部材（１４８）と連通され、前記ピストンホルダー（１４４）及びピストン部材（１４２）を貫通して前記ピペット（１２４）側に圧力を伝達する圧力提供流路（１２７）とを含む。
【００６８】
前記ピストン部材（１４２）は、前記ピペットハウジング（１３４）の内側面に密着されて上下方向に移動されながら第二内容物を前記ピペット（１２４）側に加圧する。
【００６９】
前記ピストンホルダー（１４４）は、前記圧力提供部材（１４８）及びピストン部材（１４２）を組立てさせる。
【００７０】
前記圧力提供部材（１４８）は、弾性材質で形成され、使用者の操作力によって弾性変形の後、元通りに復元される。
以下、残りの構成は、前記一実施例と同一であるため、詳しい説明を省略する。
【００７１】
以上、添付の図面を参照して本発明の実施例等を説明したが、本発明は、前記実施例等に限定されることなく、互いに異なる色々な形に製造されることができ、本発明に属する技術分野で通常の知識を有する者は、本発明の技術的思想や必須的特徴を変更しないで、他の具体的形態で実施されることができるということを理解できるであろう。それゆえ、以上で記述した実施例等は、全ての面で例示的であり、限定的ではないと理解すべきである。
【符号の説明】
【００７２】
１０    容器ボディー
１１    第一内容物
１３    ボディーネジ山
１４    キャップ溝
１５    ボディー引っ掛け部
２０    ピペット組立体
２１    第二内容物
２２    ピペットボディー
２３    ピペットネジ山
２４    ピペット
２６    ピストン
２７    圧力提供流路
２８    圧力提供部材
３０    キャップ
１１０    容器ボディー
１１２    容器ハウジング
１１４    ストリッパー
１１６    容器パッキン
１１８    容器ベース
１２０    ピペット組立体
１２４    ピペット
１２７    圧力提供流路
１３０    ピペットボディー
１３２    ピペットインナーキャップ
１３４    ピペットハウジング
１３６    ピペットアウターキャップ
１４０    ピストン
１４２    ピストン部材
１４４    ピストンホルダー
１４６    ピストンカバー
１４８    圧力提供部材
【図１】
2016527948.tif 000003
【図２】
2016527948.tif 000004
【図３】
2016527948.tif 000005
【図４】
2016527948.tif 000006
【図５】
2016527948.tif 000007
【図６】
2016527948.tif 000008
【図７】
2016527948.tif 000009
【図８】
2016527948.tif 000010
【図９】
2016527948.tif 000011
【図１０】
2016527948.tif 000012
【図１１】
2016527948.tif 000013
【図１２】
2016527948.tif 000014
【図１３】
2016527948.tif 000015
【図１４】
2016527948.tif 000016
【図１５】
2016527948.tif 000017
【国際調査報告】
2016527948.tif 000018
2016527948.tif 000019
2016527948.tif 000020
2016527948.tif 000021